【手続補正書】
【提出日】平成15年4月25日(2003.4.25)
【手続補正１】
【補正対象書類名】明細書
【補正対象項目名】特許請求の範囲
【補正方法】変更
【補正の内容】
【特許請求の範囲】
【請求項１】
表底をその底面から見ても靴の内側空間を視認できないような表底を有し、
前記表底が、表底の後端部にある参照ゲージであって、踵位置マークとして働く、足の踵の後端を載せるための先端参照位置を画定し、靴の中にあるときの人の踵の後端位置にさらに対応する参照ゲージを備え、
前記表底の前端部にある第１の参照マークであって、前記靴が前記足に適切にフィットすることを保証するために前記踵の後端が前記参照ゲージに載せられる、すなわち合わせられるときに前記足の爪先が収まるべき第１の領域を画定する、爪先範囲参照マークとして働く第１の参照マークをさらに有する靴であって
前記参照ゲージと前記第１の参照マークは、前記表底をその底面から見ることによって視認でき、
前記表底の前記底面を足の裏に当て、前記参照ゲージと前記第１の参照マークを使って前記靴が前記足に適切にフィットしているかどうか判断する靴。
【請求項２】
前記第１の参照マークより前端側にある第２の参照マークであって、前記靴が前記足に適切にフィットすることをさらに保証するために、爪先のゆとり参照マークとして働き、前記靴内のゆとり寸に対応する第２の領域を画定する第２の参照マークをさらに有する、請求項１に記載の靴。
【請求項３】
前記表底が、前記靴内の適切な幅フィットに対応する第３の領域を画定する第３の参照マークをさらに有する、請求項１または２のいずれか１項に記載の靴。
【請求項４】
前記表底が、前記参照ゲージと前記第１の参照マークとの中間にある第４の参照マークであって、前記踵が前記参照ゲージに載っているときに、前記靴が適切にフィットすることを保証するために前記足の母指球が合うべき場所に対応する第４の領域を画定する第４の参照マークをさらに有する、請求項１〜３のいずれか１項に記載の靴。
【請求項５】
前記踵位置マークと前記爪先範囲マークによって画定される前記第１の領域との間にある靴過大参照マークであって、前記第１の領域の、前記踵位置マークに最も近い部分に並置され、靴が大き過ぎることに対応する靴過大参照マークをさらに有する、請求項１〜４のいずれか１項に記載の靴。
【請求項６】
前記表底は、踵から爪先までの靴内の全体形状に対応する輪郭をさらに有する、請求項１〜５のいずれか１項に記載の靴。
【請求項７】
前記参照ゲージは、前記足の踵に合うようにＵ字形をしている、請求項１に記載の靴。
【請求項８】
前記参照ゲージが末端の線である、請求項１に記載の靴。
【請求項９】
前記参照ゲージが前記表底の前記後端部に永久付着させられ、
前記第１の参照マークが前記後端部に永久付着させられ、
前記第２の参照マークが前記第１の参照マークより全端側に永久付着させられ、
前記第３の参照マークが前記表底に永久付着させられる、
請求項３に記載の靴。
【請求項１０】
前記第４の参照マークが、前記参照ゲージと前記参照マークの中間に永久付着させられる、請求項４に記載の靴。
【請求項１１】
前記第１の参照マークが、適切にフィットしていることを示す参照マークとして役立つ、請求項１に記載の靴。
【請求項１２】
表底の後端部にある参照ゲージであって、足の踵の後端を載せるための先端参照位置を画定し、靴の中にあるときの人の踵の後端位置にさらに対応する参照ゲージと、
前記表底の前端部にある第１の参照マークであって、前記靴が前記足に適切にフィットすることを保証するために前記踵の後端が前記参照ゲージに載せられる、すなわち合わせられるときに前記足の爪先が収まるべき第１の領域を画定する第１の参照マークと、
を有する不透明な表底を備えた靴の合い具合を判断するためのシステムであって、
前記人の足が前記靴の内側にあるとき、前記参照ゲージおよび前記第１の参照マークに対する前記足の位置を前記表底から視認できず、
前記参照ゲージと前記参照マークは、前記表底をその底面から見ることによって視認でき、
適切にフィットしているかどうかの判断は、前記表底を足の裏に当てることによって行われるシステム。
【請求項１３】
前記第１の参照マークより前端側にある第２の参照マークであって、前記靴が前記足に適切にフィットすることをさらに保証するために前記靴内のゆとり寸に対応する第２の領域を画定する第２の参照マークをさらに有する、請求項１２に記載のシステム。
【請求項１４】
前記参照ゲージは、前記足の踵に合うようにＵ字形をしている、請求項１２に記載のシステム。
【請求項１５】
前記参照ゲージが末端の線である、請求項１２に記載のシステム。
【請求項１６】
前記表底が、前記第１の参照マークより前端側にある第３の参照マークであって、前記靴内の適切な幅フィット対応する第３の領域を画定する第３の参照マークをさらに有する、請求項１２〜１５のいずれか１項に記載の靴。
【請求項１７】
前記表底が、前記参照ゲージと前記第１の参照マークとの中間にある第４の参照マークであって、前記踵が前記参照ゲージに載っているときに、前記靴が適切にフィットすることを保証するために前記足の母指球が合うべき場所に対応する第４の領域を画定する第４の参照マークをさらに有する、請求項１６に記載のシステム。
【請求項１８】
前記表底は、踵から爪先までの靴内の全体形状に対応する輪郭をさらに有する、請求項１２〜１７のいずれか１項に記載の靴。
【請求項１９】
靴の合い具合を靴の外側から判断する方法であって、
表底をその底面から見ても靴の内側空間が視認できないような表底を有し、
前記表底が、前記表底の後端部にある参照ゲージであって、足の踵の後端を載せるための先端参照位置を画定し、靴の中にあるときの人の踵の後端位置にさらに対応する参照ゲージと、
前記表底の前端部にある第１の参照マークであって、前記靴が前記足に適切にフィットすることを保証するために前記踵の後端が前記参照ゲージに載せられる、すなわち合わせられるときに前記足の爪先が収まるべき第１の領域を画定する第１の参照マークと、を含む靴を用意するステップと、
前記踵の後端を、前記靴の表底の後端部に位置する前記参照ゲージの上に載せる、すなわち合わせるステップと、
前記踵の後端を参照ゲージ上に残して、すなわち前記参照ゲージに合わせた状態で、前記爪先が前記表底に沿って前記表底の前端部に向かって延びるように前記足を前記表底に載せるステップと、
前記爪先の延在部と、前記靴が足に適切にフィットすることを保証するために前記踵の後端が前記参照ゲージに載せられる、すなわち合わせられるときに前記足の爪先が来るべき場所に対応する前記表底の前端部の前記第１の参照マークとを比較するステップと、
を備える方法。
【請求項２０】
前記表底が、前記第１の参照マークより前端側にある第２の参照マークであって、前記靴が前記足に適切にフィットすることをさらに保証するために前記靴内のゆとり寸に対応する第２の領域を画定する第２の参照マークをさらに有する、請求項１９に記載の方法。
【請求項２１】
前記参照ゲージは、前記足の踵に合うようにＵ字形をしている、請求項１９に記載の方法。
【請求項２２】
前記参照ゲージが末端の線である、請求項１９に記載の方法。
【請求項２３】
前記表底が、前記靴内の適切な幅フィットに対応する第３の領域を画定する第３の参照マークをさらに有しており、
前記足の幅と前記第３の参照マークとを比較するステップをさらに備える請求項１９〜２２のいずれか１項に記載の靴。
【請求項２４】
前記表底が、前記参照ゲージと前記第１の参照マークとの中間にある第４の参照マークであって、前記踵が前記参照ゲージに載っているときに、前記靴が適切にフィットすることを保証するために前記足の母指球が合うべき場所に対応する第４の領域を画定する第４の参照マークをさらに有しており、
前記足の母指球を前記第４の参照マークに載せるステップをさらに備える請求項２３に記載の方法。
【請求項２５】
前記表底は前記靴内の全体形状に対応する輪郭をさらに有しており、
前記足の踵から爪先までの全体形状と前記輪郭とを比較するステップをさらに備える。請求項１９〜２４のいずれか１項に記載の靴。
【請求項２６】
使用中に、その後端部からその先端部までの平坦な平面形状を維持する平面状の札と、
前記札上の、前記札の後端部に印刷され、足の踵を載せるための参照位置を画定する参照ゲージであって、さらに前記足の踵に対応し、前記札上の前記参照ゲージの位置が、靴の中にあるときの人の踵の位置に対応する参照ゲージと、
前記札上の、札の前端部に印刷される第１の参照マークであって、前記靴が前記足に適切にフィットすることを保証するために前記踵が前記参照ゲージに載せられるときに前記足の爪先が収まるべき第１の領域を画定する第１の参照マークと、
を有する、目に見える靴フィットガイドであり、
前記札は前記札を伴う靴のサイズと関連している、目に見える靴フィットガイド。
【請求項２７】
前記札上の、前記第１の参照マークより前端側に印刷される第２の参照マークであって、前記靴が前記足に適切にフィットすることをさらに保証するために前記靴内のゆとり寸に対応する第２の領域を画定する第２の参照マークをさらに有する、請求項２６に記載の目に見える靴フィットガイド。
【請求項２８】
前記札上に印刷される、前記靴内の、踵から爪先までの全体形状に対応する輪郭をさらに有する、請求項２６または２７に記載の目に見える靴フィットガイド。
【請求項２９】
前記札上に印刷され、前記靴の適切なフィット幅に対応する第３の領域を画定する第３の参照マークをさらに有する、請求項２６〜２８のいずれか１項に記載の靴。
【請求項３０】
前記札上の、前記参照ゲージと前記第１の参照マークとの間に印刷される第４の参照マークであって、前記踵が前記参照ゲージに載っているときに、前記靴が適切にフィットすることを保証するために前記足の母指球が合うべき場所に対応する第４の領域を画定する第４の参照マークをさらに有する、請求項２９に記載の目に見える靴フィットガイド。
【請求項３１】
前記札上に印刷される、前記靴内の、踵から爪先までの全体形状に対応する輪郭をさらに有する、請求項２６〜３０のいずれか１項に記載の目に見える靴フィットガイド。
【請求項３２】
前記参照ゲージ、前記第１の参照マーク、前記第２の参照マーク、および前記輪郭が前記札の両面に印刷され、前記札の片面が左側の靴を表し、前記札の反対面が右側の靴を表す、請求項３１に記載の目に見える靴フィットガイド。
【請求項３３】
前記参照ゲージ、前記第１の参照マーク、前記第２の参照マーク、および前記輪郭が、靴の所定のサイズに対応するように配置されている、請求項３１または３２に記載の目に見える靴フィットガイド。
【請求項３４】
前記参照ゲージ、前記第１の参照マーク、前記第２の参照マーク、第３の参照マーク、および前記輪郭が前記札の両面に印刷され、前記札の片面が左側の靴を表し、前記札の反対面が右側の靴を表す、請求項３１に記載の目に見える靴フィットガイド。
【請求項３５】
前記参照ゲージ、前記第１の参照マーク、前記第２の参照マーク、第３の参照マーク、前記第４の参照マーク、および前記輪郭が前記札の両面に印刷され、前記札の片面が左側の靴を表し、前記札の反対面が右側の靴を表す、請求項３０に記載の目に見える靴フィットガイド。
【請求項３６】
前記参照ゲージ、前記第１の参照マーク、前記第２の参照マーク、第３の参照マーク、および前記輪郭が、靴の所定のサイズに対応するように配置されている、請求項２９に記載の目に見える靴フィットガイド。
【請求項３７】
前記参照ゲージ、前記第１の参照マーク、前記第２の参照マーク、第３の参照マーク、前記第４の参照マーク、および前記輪郭が、靴の所定のサイズに対応するように配置されている、請求項３０または３５に記載の目に見える靴フィットガイド。
【請求項３８】
前記札は前記販売される靴と一緒に保管される、請求項２６〜３７のいずれか１項に記載の目に見える靴フィットガイド。
【請求項３９】
前記札は前記札を前記靴に取り付ける手段を有する、請求項２６〜３８のいずれか１項に記載の目に見える靴フィットガイド。
【請求項４０】
表底を有する靴の合い具合を判断するためのシステムであって、
靴の表底に一時的に貼り付けるための接着剤を片面に有するデカールと、
前記デカール上の、デカール後端部に印刷され、足の踵を載せるための参照位置を画定する参照ゲージであって、さらに前記足の踵に対応し、前記デカールが前記表底に貼り付けられると、前記デカール上の前記参照ゲージの位置が、前記靴の中にあるときの人の踵の位置に対応する参照ゲージと、
前記デカール上の、デカールの前端部に印刷され、前記靴が前記足に適切にフィットすることを保証するために前記踵が前記参照ゲージに載せられる、すなわち合わせられるときに前記足の爪先が収まるべき第１の領域を画定する第１の参照マークと、
を有するシステム。
【請求項４１】
前記デカール上の、前記第１の参照マークより前端側に印刷され、前記靴が前記足に適切にフィットすることをさらに保証するために前記靴内のゆとり寸に対応する第２の領域を画定する第２の参照マークをさらに有する、請求項４０に記載のシステム。
【請求項４２】
前記デカール上に印刷され、前記靴の適切なフィット幅に対応する第３の領域を画定する第３の参照マークをさらに有する、請求項４１に記載のシステム。
【請求項４３】
前記参照ゲージと前記第１の参照マークとの間の前記デカール上に印刷され、前記踵が前記参照ゲージに載っているときに、前記靴が適切にフィットすることを保証するために前記足の母指球が合うべき場所に対応する第４の領域を画定する第４の参照マークをさらに有する、請求項４２に記載のシステム。
【請求項４４】
前記デカール上に印刷される、前記靴内の全体形状に対応する輪郭をさらに有する、請求項４３に記載のシステム。